(57)【要約】【課題】園芸施設などの各種施設において、カーテンの重量の違いや使用環境下での温度変化に影響を受けず、確実にカーテンを閉塞位置にて保持することが可能なカーテンの支持装置を提供する。【解決手段】カーテンの中央レール２０−１の端部に取付けられるキャップ１１０と、キャップ１１０に取り付けられ、カーテン３０の移動を阻止するためにカーテン３０の一端部を係止することができるフック１２０と、を備え、フック１２０は、中央レール２０−１に沿って走行する中央ランナー４０−１を機械的に着脱自在に保持するストッパー１３０をキャップ１１０に対して連結した第１状態と、ストッパー１３０をキャップ１１０に対して連結していない第２状態と、を選択可能にキャップ１１０に取り付けられるように構成される。【選択図】図３
2018158029.tif 000002
【特許請求の範囲】
【請求項１】
カーテンの支持部材の端部に取付けられる端部材と、
前記端部材に取り付けられ、前記カーテンの移動を阻止するためにカーテンの一端部を係止することができる連結部材と、
を備え、
前記連結部材は、前記支持部材に沿って走行する案内部材を機械的に着脱自在に保持するストッパーを前記端部材に対して連結した第１状態と、前記ストッパーを前記端部材に対して連結していない第２状態と、を選択可能に前記端部材に取り付けられることを特徴とする、カーテンの支持装置。
【請求項２】
前記連結部材は、前記端部材に形成される第１挿通孔と前記ストッパーに形成される第２挿通孔とを貫通することで前記端部材と前記ストッパーとを連結することを特徴とする、請求項１に記載のカーテンの支持装置。
【請求項３】
前記第１状態においては、前記端部材と前記ストッパーとが相対回動不能に連結されることを特徴とする、請求項１又は２に記載のカーテンの支持装置。
【請求項４】
前記端部材及び前記連結部材は、前記支持部材の両端部に取付けられることを特徴とする、請求項１〜３のいずれかに記載のカーテンの支持装置。
【発明の詳細な説明】
【技術分野】
【０００１】
本発明は、カーテンの支持装置に関する。
【背景技術】
【０００２】
従来のカーテンの支持装置、特に園芸施設内に設置されるカーテンの支持装置としては、実公昭５７−３５１１号公報（特許文献１）に示されるものがある。同文献には、頂板の左右に下方への垂下部が接続され、一方の垂下部をマグネット吸着面とし、他方の垂下部をフック掛部とする本体に対し、カーテンレール下面からナット板部を介してネジを締結することで、マグネット吸着面を有するカーテンレール端止具を構成することが開示される。これにより、カーテンの端部に取付けたマグネットランナーをマグネット吸着面に吸着させることで、カーテンを閉塞位置で保持できるという特徴がある。
【先行技術文献】
【特許文献】
【０００３】
【特許文献１】実公昭５７−３５１１号公報
【発明の概要】
【発明が解決しようとする課題】
【０００４】
しかしながら、カーテンの閉塞位置での保持はマグネットランナーの磁力に依存するため、カーテンの重量の違いや使用環境下での温度変化によっては、カーテンを閉塞位置に保持できないおそれがあるという課題があった。
【０００５】
そこで本発明は、このような問題に鑑みてなされたもので、その目的とするところは、園芸施設などの各種施設において、カーテンの重量の違いや使用環境下での温度変化に影響を受けず、確実にカーテンを閉塞位置にて保持することが可能なカーテンの支持装置を提供することにある。
【課題を解決するための手段】
【０００６】
上記課題を解決するために、本発明によれば、カーテンの支持部材の端部に取付けられる端部材と、前記端部材に取り付けられ、前記カーテンの移動を阻止するためにカーテンの一端部を係止することができる連結部材と、を備え、前記支持部材に沿って走行する案内部材を機械的に着脱自在に保持するストッパーを前記端部材に対して連結した第１状態と、前記ストッパーを前記端部材に対して連結していない第２状態と、を選択可能に前記端部材に取り付けられることを特徴とする、カーテンの支持装置が提供される。
【０００７】
かかる構成によれば、支持部材の端部材に、カーテンの一端部を固定するための連結部材によって、案内部材を保持するストッパーを連結するようにしたことで、ストッパーを簡易な構造にて支持部材の一端部に取付けることができ、ストッパーは機械的に案内部材を着脱自在に保持できるため、カーテンの重量の違いや使用環境下での温度変化に影響を受けず、確実にカーテンを閉塞位置にて保持することができる。また、ストッパーを端部材に対して連結した第１状態と連結していない第２状態とを選択可能に切り替えられる。すなわち、ストッパーは後付けできるため、ストッパーが不要であれば端部材と連結部材のみの構造として使用することもできる。
【０００８】
本発明は様々な応用が可能である。以下の応用例は適宜組み合わせることが可能である。
例えば、前記連結部材は、前記端部材に形成される第１挿通孔と前記ストッパーに形成される第２挿通孔とを貫通することで前記端部材と前記ストッパーとを連結するようにしてもよい。かかる構成によれば、第１状態と第２状態とを容易に切り替えられる。
【０００９】
また、前記第１状態においては、前記端部材と前記ストッパーとが相対回動不能に連結されるようにしてもよい。例えば、前記端部材は前記ストッパーを挟持してもよく又は前記端部材が前記ストッパーに挟持されるようにしてもよい。また、前記端部材と前記ストッパーとが少なくとも２つの面で当接することにより、前記端部材と前記ストッパーとが相対回動不能に連結されるようにしてもよい。かかる構成によれば、ストッパーは端部材によって回動不能に保持されるため、ストッパーが案内部材に対して位置ズレすることなく、走行する案内部材を確実に捕らえることができる。
【００１０】
また、前記端部材及び前記連結部材は、前記支持部材の両端部に取付けられるようにしてもよい。端部材とストッパーとを連結部材に連結された状態で支持部材の両端部に取付けることで、カーテンの開閉方向の一端側は連結部材に固定されて固定側を形成し、カーテンの開閉方向の他端側はストッパーによって着脱自在に保持される開閉側を形成することが可能であり、また、カーテンの両端部いずれも連結部材に固定しない構造を選択することで、カーテンを両側から開閉可能な仕様として利用することもできる。
【発明の効果】
【００１１】
本発明によれば、園芸施設などの各種施設において、カーテンの重量の違いや使用環境下での温度変化に影響を受けず、確実にカーテンを閉塞位置にて保持することが可能である。本発明のその他の効果については、後述する発明を実施するための形態においても説明する。
【図面の簡単な説明】
【００１２】
【図１】第１の実施形態のカーテンの支持装置１００が用いられた園芸施設のカーテンを閉じた状態における全体構成を示す斜視図である。
【図２】カーテンを閉じた状態を示す図であり、（ａ）は正面図であり、（ｂ）は側面図である。
【図３】カーテンの支持装置が設けられたレールの端部の状態を説明するための側面図である。
【図４】カーテンの支持装置を説明するための図であり、（ａ）は分解斜視図であり、（ｂ）は斜視図である。
【図５】カーテンの支持装置の作用を説明するための示す図であり、（ａ）はストッパーがランナーを保持する直前の状態を示す図であり、（ｂ）はストッパーがランナーを保持した状態を示す図である。
【図６】カーテンの開閉動作を説明するための図であり、（ａ）はカーテンが閉じられた状態を示す側面図であり、（ｂ）はカーテンの開閉途中の状態を示す側面図であり、（ｃ）はカーテンが開かれた状態を示す側面図である。
【図７】カーテンの開閉途中の状態であり、カーテンの一部が畳み込まれた状態を示す斜視図である。
【図８】第２の実施形態のカーテンの支持装置２００を示す側面図である。
【図９】第２の実施形態のカーテンの支持装置が園芸施設に用いられた例を示す側面図である。
【発明を実施するための形態】
【００１３】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１４】
（第１の実施形態）
本発明の第１の実施形態について説明する。本実施形態ではカーテンの支持装置１００を、園芸施設１０に用いた例について説明する。まず、本実施形態に係るカーテンの支持装置１００が用いられた園芸施設１０の全体構成と、園芸施設１０に実施されたカーテンの支持装置１００の全体構成について、図１〜図４を参照しながら説明する。図１は、本実施形態のカーテンの支持装置が用いられた園芸施設のカーテンを閉じた状態における全体構成を示す斜視図である。図２は、カーテンを閉じた状態を示す図であり、（ａ）は正面図であり、（ｂ）は側面図である。図３は、カーテンの支持装置が設けられたレールの端部の状態を説明するための側面図である。図４は、カーテンの支持装置を説明するための図であり、（ａ）は分解斜視図であり、（ｂ）は斜視図である。
【００１５】
本実施形態に係るカーテンの支持装置１００が用いられた園芸施設１０は、図１及び図２に示したように、長手方向に平行に整列する複数のアーチフレーム１２と、アーチフレーム１２を奥行方向に連結する３本の母屋フレーム１４と、を備えて構成されている。通常、アーチフレーム１２の外周は、図示していないビニールシートによって覆われる。アーチフレーム１２の天井部分の形状は、図１及び図２に示したような山形である。母屋フレーム１４は、アーチフレーム１２の山形の頂点の近傍と、山形の両端に配設される。なお、本明細書において「山形」というときには、特に断りがない限り、両端から中央に向かって実質的に高さが増加する形態をいい、略への字型、アーチ形、円弧状などを含む。必ずしも左右対称でなくてもよい。
【００１６】
園芸施設１０には、図１に示したように、カーテンの支持装置１００が両端部に取付けられるカーテンのレール（支持部材）２０と、レール２０に沿って開閉するカーテン３０と、カーテン３０をレール２０に開閉可能に連結するランナー４０と、カーテン３０の開閉を操作する操作手段５０と、が設けられる。
【００１７】
（レール２０）
レール２０は、園芸施設１０にカーテン３０を開閉可能に取り付けるための支持部材である。レール２０は、図１に示したように、園芸施設１０の複数箇所（本実施形態では３箇所）に設けられている母屋フレーム１４に沿って固定されており、本実施形態では３箇所の母屋フレーム１４全てに固定されている。
【００１８】
図２（ａ）に示したように、アーチフレーム１２の山形の頂点近傍である園芸施設１０の中央に配置される母屋フレーム１４に沿って配置される中央レール２０−１は、後述する中央ランナー４０−１が下向きになるように配置される。中央レール２０−１に後述するカーテンの支持装置１００が設けられる。
【００１９】
また、アーチフレームの山形の両端である園芸施設１０の両端に配設される母屋フレーム１４に沿って配置される端部レール２０−２、２０−３は、後述する端部ランナー４０−２、４０−３が対向するように配置される。なお、中央レール２０−１、端部レール２０−２、２０−３を総称するときには、レール２０という。
【００２０】
レール２０は、図２（ｂ）に示したように、長尺状であり、母屋フレーム１４とほぼ同様の長さに構成されている。レール２０は、母屋フレーム１４に沿って、園芸施設１０の奥行き方向に延びるように配置される。中央レール２０−１は、長手方向の複数箇所において、ブラケット２２によって母屋フレーム１４に固定されており、端部レール２０−２、２０−３は、長手方向の複数箇所において、ブラケット２２によってアーチフレーム１２に固定されている。
【００２１】
（カーテン３０）
カーテン３０は、園芸施設１０内の天井部分を開放したり閉鎖したりするものである。カーテン３０は、図１に示したように、園芸施設１０の奥行方向全長にわたって、アーチフレーム１２に沿って設けられる。カーテン３０は、図２に示したように、幅方向の中央部が中央レール２０−１に設けられる後述する中央ランナー４０−１に連結され、幅方向の両端部が端部レール２０−２、２０−３に設けられる後述する端部ランナー４０−２、４０−３に連結される。このように、カーテンは、園芸施設１０の天井全体を覆うことができる。
【００２２】
また、カーテン３０は、図１に示したように、幅方向の中央部と両端部に円形の中央開口部３２−１と、端部開口部３２−２、３２−３とが奥行方向にわたって所定間隔毎に複数形成されている。開口部３２−１、３２−２、３２−３の周囲はハトメが設けられて補強されている。
【００２３】
カーテン３０は、図２（ａ）に示したように、中央開口部３２−１が前述のように中央レール２０−１の中央ランナー４０−１に連結されているが、図２（ｂ）において右端部の中央開口部３２−１のみ後述するフック１２０に連結されている。また、カーテン３０の両端部の端部開口部３２−２、３２−３は、端部レール２０−２、２０−３の端部ランナー４０−２、４０−３に連結されている。カーテン３０は、図２（ｂ）に示したように、園芸施設１０の奥行き方向複数箇所でランナー４０に支持されている。
【００２４】
（ランナー４０）
ランナー４０は、カーテン３０をレール２０に開閉可能に連結する案内部材である。ランナー４０は、図１に示したように、レール２０に複数設けられており、レール２０に沿って走行可能である。ランナー４０は、図２（ａ）に示したように、中央レール２０−１に設けられる中央ランナー４０−１と、端部レール２０−２、２０−３に設けられる端部ランナー４０−２、４０−３を備える。なお、ランナーを総称するときは、ランナー４０という。
【００２５】
中央ランナー４０−１は、図２（ａ）に示したように、中央レール２０−１に垂下するように配置され、中央ランナー４０−１から中央ランナー用フック４２が吊り下げられている。中央ランナー用フック４２は、後述するカーテン３０の中央開口部３２−１に揺動自在材に係止される。また、図２（ｂ）において左端部に配置される開閉側の中央ランナー４０−１は、後述するストッパー１３０に着脱自在に保持されるランナーである。
【００２６】
端部ランナー４０−２、４０−３は、図２（ａ）に示したように、端部レール２０−２、２０−３に互いに対向するように配置され、端部ランナー４０−２、４０−３にはチェーン４４が接続されている。チェーン４４は、カーテン３０の端部開口部３２−２、３２−３と連結フック４６により連結される。チェーン４４は、複数の環状部４４ａが連結されて長尺状に構成されており、チェーン４４の任意の環状部４４ａとカーテン３０の端部開口部３２−２、３２−３とが連結フック４６により連結されることにより、カーテン３０と端部ランナー４０−２、４０−３とは、カーテン３０の幅方向の端部と端部レール２０−２、２０−３との相対位置が調整されるように連結される。
【００２７】
（操作手段５０）
操作手段５０は、カーテン３０の開閉を操作するものである。操作手段５０は、図１に示したようにカーテン３０の開閉の起端部に設けられている。カーテン３０は、操作手段５０によって開閉が操作される。操作手段５０は、図２（ａ）に示したように、３つの牽引部５２、５４、５６と操作部５８により構成されている。中央の牽引部５２の一端は、カーテン３０の中央開口部３２−１に連結され、両端の牽引部５４、５６の一端はカーテン３０の両端部の端部開口部３２−２、３２−３に連結されている。
【００２８】
また、３つの牽引部５２、５４、５６の他端同士と操作部５８の一端部とは連結されている。操作部５８の他端は自由端であり、操作部５８を把持して操作手段５０を操作することにより、カーテン３０を開閉することができる。３つの牽引部５２、５４、５６の他端同士の連結部の高さは、端部レール２０−２、２０−３の高さよりも上方に設けられる。操作手段５０は、本実施形態ではチェーンで構成されているが、紐やベルトなどで構成されてもよい。
【００２９】
以上、カーテンの支持装置１００（以下、支持装置１００と呼ぶ）が取り付けられる園芸施設１０、レール２０、及びレール２０に取付けられるカーテン３０について説明した。以下、支持装置１００の詳細について図３及び図４を参照しながら説明する。
【００３０】
カーテンの支持装置１００は、図３及び図４に示したように、カーテンのレール（支持部材）２０の端部に取付けられるキャップ（端部材）１１０と、キャップ１１０に取り付けられ、カーテン３０の移動を阻止するためにカーテン３０の一端部を係止することができるフック（連結部材）１２０と、レール２０に沿って走行するランナー（案内部材）４０を（構造的に）着脱自在に保持するストッパー１３０と、を備え、フック１２０は、ストッパー１３０をキャップ１１０に対して連結した状態（第１状態）と、ストッパー１３０をキャップ１１０に対して連結していない状態（第２状態）と、を切り替え可能にキャップ１１０に取り付けられて構成される。
【００３１】
本実施形態の支持装置１００は、図３に示したように、レール２０の両端に設けられる。本実施形態では、レール２０の両端に設けられる支持装置１００は、フック１２０がストッパー１３０をキャップ１１０に対して連結した状態（第１状態）であるが、レール２０の一方の端部（図３の左端部）に設けられる支持装置１００は、ランナー４０を保持するストッパーとして機能し、レール２０の他方の端部（図３の右端部）に設けられる支持装置１００は、カーテン３０の一端を係止するものとして機能するものとする。すなわち、カーテン３０は、図３の左端部の中央開口部３２−１が中央ランナー用フック４２に係止され、図３の右端部の中央開口部３２−１が、後述するフック１２０に係止されている。以下、支持装置１００を詳細に説明する。
【００３２】
（キャップ１１０）
キャップ１１０は、カーテンのレール２０の端部に取付けられる端部材である。キャップ１１０は、図３に示したように、レール２０の両端部に取付けられる。本実施形態の場合、キャップ１１０は中央レール２０−１の両端部に取付けられる。キャップ１１０は、レール２０の端面を覆うカバー部１１２と、レール２０の底面に連結されるレール連結部１１４と、ストッパー１３０が係止される受け片１１６と、フック１２０が係止されるキャップ側挿通孔１１８と、を備えて構成される。
【００３３】
カバー部１１２は、図４に示したように、レール２０の端面と略同一形状の方形状の薄板状であり、レール２０の端面全体を覆う。レール連結部１１４は、カバー部１１２に対して垂直に屈曲して形成されており、キャップ１１０をレール２０の底面に連結するためのねじ１１９が設けられている。
【００３４】
受け片１１６は、図４（ａ）に示したように、レール連結部１１４に対して垂直に屈曲して形成されており、レール２０の下方に延びる方形状の薄板状である。受け片１１６には、図４（ｂ）に示したように、後述するストッパー１３０のストッパー係止部１３２が係止される。
【００３５】
キャップ側挿通孔１１８は、受け片１１６の中央付近に形成されている。キャップ側挿通孔１１８は、図４（ｂ）に示したように、後述するストッパー１３０が受け片１１６に係止された第１状態のときに、ストッパー１３０のストッパー側挿通孔１３４と対応する位置にある。
【００３６】
（フック１２０）
フック１２０は、キャップ１１０に取り付けられ、カーテン３０の移動を阻止するためにカーテン３０の一端部の中央開口部３２−１を係止することができる連結部材である。フック１２０は、図３に示したように、レール２０の両端において、キャップ１１０とストッパー１３０とに取付けられる。フック１２０は、図４（ｂ）に示したように、ストッパー１３０をキャップ１１０に対して連結した状態（第１状態）と、図４（ａ）に示したように、ストッパー１３０をキャップ１１０に対して連結していない状態（第２状態）と、を切り替え可能にキャップ１１０に取り付けられる。
【００３７】
フック１２０は、図４（ａ）に示したように、Ｓ字の形状をしており、上下２か所の係止部１２０ａ、１２０ｂを備える。フック１２０は、図４（ｂ）に示したように、Ｓ字の上側の係止部１２０ａがキャップ１１０に形成されるキャップ側挿通孔１１８と後述するストッパー１３０に形成されるストッパー側挿通孔１３４とを貫通することでキャップ１１０とストッパー１３０とを連結する。フック１２０のＳ字の下側の係止部１２０ｂは、図３に示したように、カーテン３０の中央開口部３２−１を係止することができる。
【００３８】
すなわち、本実施形態では、図３に示したように、中央レール２０−１の一方（図３中左側）の端部に設けられるカーテンの支持装置１００のフック１２０の下側の係止部１２０ｂには何も係止されておらず、他方（図中右側）の端部に設けられるカーテンの支持装置１００のフック１２０の下側の係止部１２０ｂにはカーテン３０の中央開口部３２−１が係止される。
【００３９】
（ストッパー１３０）
ストッパー１３０は、レール２０に沿って走行するランナー４０を着脱自在に保持するものである。ストッパー１３０は、図３に示したように、レール２０の両端において、フック１２０によってキャップ１１０に取付けられる。ストッパー１３０は、図４に示したように、１枚の薄板状の部材を略Ｔ字状に折り曲げて構成されており、キャップ１１０の受け片１１６を係止するストッパー係止部１３２と、フック１２０が係止されるストッパー側挿通孔１３４と、ランナー４０を保持する保持部１３６とを備えて構成される。
【００４０】
ストッパー係止部１３２は、図４（ａ）に示したように、略Ｔ字状の上端の水平部分に対応する部分であり、キャップ１１０の受け片１１６が挿通する挿通部１３２ａを備えている。ストッパー係止部１３２は、図４（ｂ）に示したように、キャップ１１０の受け片１１６の外周に沿った形状に形成されているため、挿通部１３２ａに挿通した受け片１１６とストッパー係止部１３２との相対回転を不能に連結することができる。
【００４１】
ストッパー側挿通孔１３４は、図４（ａ）に示したように、ストッパー係止部１３２の中央付近に設けられる。ストッパー側挿通孔１３４は、ストッパー係止部１３２が受け部１１６に係止されたときにキャップ側挿通孔１１８に対応する位置にある。
【００４２】
保持部１３６は、図４（ａ）に示したように、略Ｔ字状の垂直部分に対応する部分であり、２つの片１３６−１、１３６−２がストッパー係止部１３２から垂直に突出する。保持部１３６が突出する方向は中央レール２０−１の長手方向である。２つの片１３６−１、１３６−２は、離間及び接近する方向に弾性変形可能である。２つの片１３６−１、１３６−２は、ストッパー係止部１３２に連続する部分において中央ランナー４０−１を収容して保持する保持空間１３６ａを構成している。
【００４３】
そして、保持空間１３６ａに連続して２つの片１３６−１、１３６−２が互いに近づく方向に屈曲して接触し、保持空間１３６ａを閉鎖する閉鎖部１３６ｂを構成している。この閉鎖部１３６ｂによって保持空間１３６ａに保持された中央ランナー４０−１が保持空間１３６ａから容易に外れることが防止されている。閉鎖部１３６ｂに連続して２つの片１３６−１、１３６−２が互いに離間する方向に屈曲する受け入れ部１３６ｃが構成されている。
【００４４】
受け入れ部１３６ｃは、閉鎖部１３６ｂから先端に向かうにつれて開いていく形状である。受け入れ部１３６ｃはこの形状により、中央レール２０−１の長手方向に沿って移動する中央ランナー４０−１を受け入れ易く、また、２つの片１３６−１、１３６−２が弾性変形して閉鎖部１３６ｂを開き易くする。
【００４５】
以上、本実施形態のカーテンの支持装置１００の構成について説明した。次に、カーテンの支持装置１００の作用について、図５を参照しながら説明する。図５はカーテンの支持装置１００の作用を説明するための示す図であり、（ａ）はストッパーがランナーを保持する直前の状態を示す図であり、（ｂ）はストッパーがランナーを保持した状態を示す図である。
【００４６】
中央レール２０−１の端部には、図５（ａ）に示したように、カーテンの支持装置１００が設けられているため、中央レール２０−１に沿って端部近傍まで移動した中央ランナー４０−１は、ストッパー１３０の受け入れ部１３６ｃに向かって移動することになる。中央ランナー４０−１が受け入れ部１３６ｃに当接した後も、さらに中央ランナー４０−１を中央レール２０−１の端部方向に移動させると、２つの片１３６−１、１３６−２が弾性変形して中央ランナー４０−１は閉鎖部１３６ｂを押し開いて閉鎖部１３６ｂを通過する。
【００４７】
よって、中央ランナー４０−１は、図５（ｂ）に示したように保持空間１３６ａに移動する。中央ランナー４０−１が保持空間１３６ａに移動すると、閉鎖部１３６ｂが再び閉じるため、中央ランナー４０−１は保持部１３６に保持される。
【００４８】
以上、本実施形態のカーテンの支持装置１００の作用について説明した。次に、カーテンの支持装置１００を用いた園芸施設１０のカーテン３０の開閉動作について、図５〜図７を参照しながら説明する。図６は、カーテンの開閉動作を説明するための図であり、（ａ）はカーテンが閉じられた状態を示す側面図であり、（ｂ）はカーテンの開閉途中の状態を示す側面図であり、（ｃ）はカーテンが開かれた状態を示す側面図である。図７は、カーテンの開閉途中の状態であり、カーテンの一部が畳み込まれた状態を示す斜視図である。
【００４９】
（カーテン３０の開放動作）
カーテン３０が閉じているときは、図６（ａ）に示したように、開閉側の端部の中央ランナー４０−１が園芸施設１０の奥行方向の手前側の中央レール２０−１の端部に位置している。このとき、前述のように、図５（ｂ）に示したように、端部の中央ランナー４０−１がストッパー１３０に保持されている。よって、カーテン３０は閉塞位置にて保持されている。
【００５０】
カーテン３０を開けるときには、図６（ａ）に示す操作手段５０の操作部５８を持って園芸施設１０の奥行方向の奥側に移動する。これにより、図７に示したように、３つの牽引部５２、５４、５６の連結部が操作部５８に引っ張られて、３つの牽引部５２、５４、５６の一端がそれぞれ連結されている３つのランナー４０を一斉に園芸施設１０の奥行方向の奥側に向けて引っ張る。このため、図５（ａ）に示したように、端部の中央ランナー４０−１がストッパー１３０から離脱して全てのランナー４０が移動可能な状態となる。
【００５１】
よって、図６（ｂ）に示したように、各ランナー４０がレール２０に沿って園芸施設１０の奥行方向に移動し、カーテン３０が園芸施設１０の奥行方向の奥側に向かって畳み込まれていく。このようにしてカーテン３０が開けられる。操作部５８を園芸施設１０の奥行方向にさらに引っ張ると、図６（ｃ）に示したように、カーテン３０は、園芸施設１０の奥側に完全に畳み込まれる。
【００５２】
（カーテン３０の閉鎖動作）
次に、カーテン３０を閉じるときには、図６（ｃ）に示す操作部５８を持って園芸施設１０の奥行方向の手前側に移動する。これにより、前述したカーテン３０を開放するときとは逆に、図７に示したように、３つのランナー４０が一斉に園芸施設１０の奥行方向の手前側に向けて引っ張られる。このため、各ランナー４０がレール２０に沿って園芸施設１０の奥行方向に沿って移動していく。よって、図６（ｂ）に示したように、畳み込まれていたカーテン３０が、展開していく。端部の中央ランナー４０−１を中央レール２０−１の端部まで移動させると、前述のように、図５（ｂ）に示したように、端部の中央ランナー４０−１がストッパー１３０に保持される。よって、カーテン３０が、図５（ａ）に示したように、ストッパー１３０によって閉塞位置に保持され、不用意に解放されることなく閉じられ、その状態が維持される。
【００５３】
（第１の実施形態の効果）
以上説明したように、本実施形態によれば、中央レール２０−１のキャップ１１０に、カーテン３０の一端部を固定するためのフック１２０によって、中央ランナー４０−１を保持するストッパー１３０を連結するようにしたことで、ストッパー１３０を簡易な構造にて中央レール２０−１の一端部に取付けることができる。また、ストッパー１３０は機械的に中央ランナー４０−１を着脱自在に保持できるため、カーテン３０の重量の違いや使用環境下での温度変化に影響を受けず、確実にカーテン３０を閉塞位置にて保持することができる。さらに、ストッパー１３０をキャップ１１０に対して連結した第１状態と連結していない第２状態とを選択可能に切り替えられる。すなわち、ストッパー１３０は後付けできるため、ストッパー１３０が不要であればキャップ１１０とフック１２０のみの構造として使用することもできる。
【００５４】
また、フック１２０は、キャップ１１０に形成されるキャップ側挿通孔１１８とストッパー１３０に形成されるストッパー側挿通孔１３４とを貫通することでキャップ１１０とストッパー１３０とを連結するため、第１状態と第２状態とを容易に切り替えられる。
【００５５】
また、ストッパー１３０はキャップ１１０によって回動不能に保持されるため、ストッパー１３０が中央ランナー４０−１に対して位置ズレすることなく、走行する中央ランナー４０−１を確実に捕らえることができる。
【００５６】
また、キャップ１１０とストッパー１３０とをフック１２０に連結された状態で中央レール２０−１の両端部に取付けることで、カーテン３０の開閉方向の一端側はフック１２０に固定されて固定側を形成し、カーテン３０の開閉方向の他端側はストッパー１３０によって着脱自在に保持される開閉側を形成することが可能である。
【００５７】
（第２の実施形態）
第２の実施形態のカーテンの支持装置２００について、図８及び図９を参照しながら説明する。図８は、第２の実施形態のカーテンの支持装置２００を示す側面図である。図９は第２の実施形態のカーテンの支持装置２００が園芸施設１０に用いられた例を示す側面図である。本実施形態のカーテンの支持装置（以下、単に支持装置という）２００は、第１の実施形態の支持装置１００では、中央レール２０−１の両端に設けた支持装置１００のうち、一方の支持装置１００のフック１２０にカーテン３０の一端を連結したのに対し、両方の支持装置２００ともにフック２２０にカーテン３０を連結しない構成としたものである。
【００５８】
支持装置２００は、図８に示したように、中央レール２０−１の両端に設けられ、どちらのフック２２０にもカーテン３０は連結されない。カーテン３０は、両端の中央開口部３２−１が中央ランナー４０−１の両端の中央ランナー用フック４２に係止される。中央レール２０−１の両端の支持装置２００のストッパー２３０は、両端の中央ランナー４０−１をそれぞれ保持する。
【００５９】
また、園芸施設１０の奥行方向において、図９に示したように、カーテン３０の両端部に操作手段５０が設けられる。このような構成により、園芸施設１０の奥行方向の手前側と奥側の両側からカーテン３０が開閉する構成とすることができる。その他の点については、上記第１の実施形態と実質的に同様であるので、重複説明を省略する。
【００６０】
（第２の実施形態の効果）
以上説明したように、本実施形態によれば、カーテン３０の両端部いずれもフック２２０に固定しない構造を選択することで、カーテン３０を園芸施設１０の奥行方向の手前側と奥側の両側から開閉可能な仕様として利用することができる。
【００６１】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００６２】
例えば、上記実施形態では、カーテンの支持装置を、園芸施設に用いた例について説明したが本発明はこれに限定されず、各種施設に採用することができる。
【００６３】
また、上記実施形態では、ストッパーは、保持部が弾性変形して保持空間に中央ランナーを保持する構成としたが、本発明はこの例に限定されない。ランナーを機械的に着脱自在に保持する構成であれば、任意の構成とすることができる。
【００６４】
また、上記実施形態では、フック（連結部材）をＳ字の形状としたが、本発明はこの例に限定されない。連結部材は、カーテンの一端部を係止することができ、ストッパーを端部材に対して連結した第１状態と、ストッパーを端部材に対して連結していない第２状態と、を切り替え可能に端部材に取り付けられるものであれば、任意の形状とすることができる。
【００６５】
また、上記実施形態では、フック（連結部材）は、キャップ（端部材）に形成されるキャップ側挿通孔（第１挿通孔）とストッパーに形成されるストッパー側挿通孔（第２挿通孔）とを貫通することでキャップ（端部材）とストッパーとを連結する構成としたが、本発明はこの例に限定されない。連結部材、端部材、ストッパーの構成は任意に設計することができる。
【００６６】
また、上記実施形態では、ストッパー係止部をキャップ（端部材）の受け片の外周に沿った形状に形成し、挿通部に挿通した受け片とストッパー係止部との相対回転を不能に連結する構成としたが、本発明はこの例に限定されない。キャップとストッパーとは相対回転不能に連結される構成であれば任意に設計することができる。例えば、端部材はストッパーを挟持してもよく又は端部材がストッパーに挟持されるようにしてもよい。また、キャップとストッパーとを少なくとも２つの面で当接するように連結して相対回転不能にしてもよい。
【００６７】
また、上記実施形態では、キャップ（端部材）及びフック（連結部材）は、レールの両端部に取付けられる構成としたが、本発明はこの例に限定されず、レールの一方の端部に取り付ける構成としてもよい。
【００６８】
上記実施形態、応用例、変形例は、任意に組み合わせて実施することができる。
【符号の説明】
【００６９】
１０  園芸施設
１２  アーチフレーム
１４  母屋フレーム
２０  レール（支持部材）
２０−１  中央レール
２０−２、２０−３  端部レール
２２  ブラケット
３０  カーテン
３２−１  中央開口部
３２−２、３２−３  端部開口部
４０  ランナー（案内部材）
４０−１  中央ランナー（案内部材）
４０−２、４０−３  端部ランナー（案内部材）
４２  中央ランナー用フック
４４  チェーン
４４ａ  環状部
４６  連結フック
５０  操作手段
５２、５４、５６  牽引部
５８  操作部
１００、２００  カーテンの支持装置
１１０  キャップ（端部材）
１１２  カバー部
１１４  レール連結部
１１６  受け片
１１８  キャップ側挿通孔（第１挿通孔）
１１９  ねじ
１２０、２２０  フック（連結部材）
１２０ａ  上側の係止部
１２０ｂ  下側の係止部
１３０、２３０  ストッパー
１３２  ストッパー係止部
１３２ａ  挿通部
１３４  ストッパー側挿通孔（第２挿通孔）
１３６  保持部
１３６ａ  保持空間
１３６ｂ  閉鎖部
１３６ｃ  受け入れ部
【図１】
2018158029.tif 000003
【図２】
2018158029.tif 000004
【図３】
2018158029.tif 000005
【図４】
2018158029.tif 000006
【図５】
2018158029.tif 000007
【図６】
2018158029.tif 000008
【図７】
2018158029.tif 000009
【図８】
2018158029.tif 000010
【図９】
2018158029.tif 000011